(57)【要約】  ユーザ端末は、異なる通信要件を有する複数の下りデータに基づくＨＡＲＱ−ＡＣＫ（Hybrid  Automatic  Repeat  reQuest  ACKnowledgement）コードブックを生成する制御部と、１つの上りチャネルリソースにおいて前記ＨＡＲＱ−ＡＣＫコードブックを送信する送信部と、を有する。本開示の一態様によれば、複数のＨＡＲＱ−ＡＣＫの送信タイミングが同じであっても、ＨＡＲＱ−ＡＣＫコードブックを適切に生成できる。
2020066026.tif 000002
【特許請求の範囲】
【請求項１】
異なる通信要件を有する複数の下りデータに基づくＨＡＲＱ−ＡＣＫ（Hybrid  Automatic  Repeat  reQuest  ACKnowledgement）コードブックを生成する制御部と、
１つの上りチャネルリソースにおいて前記ＨＡＲＱ−ＡＣＫコードブックを送信する送信部と、を有することを特徴とするユーザ端末。
【請求項２】
前記制御部は、ＨＡＲＱ−ＡＣＫ情報ビットに対応する通信要件に基づいて、前記ＨＡＲＱ−ＡＣＫコードブックにおける前記ＨＡＲＱ−ＡＣＫ情報ビットの位置を決定することを特徴とする請求項１に記載のユーザ端末。
【請求項３】
前記制御部は、前記ＨＡＲＱ−ＡＣＫ情報ビットがコードブックグループベース送信に対応するか否かに基づいて、前記ＨＡＲＱ−ＡＣＫコードブックにおける前記ＨＡＲＱ−ＡＣＫ情報ビットの位置を決定することを特徴とする請求項２に記載のユーザ端末。
【請求項４】
前記制御部は、同じ通信要件に対応するＨＡＲＱ−ＡＣＫ情報ビットを連続して、前記ＨＡＲＱ−ＡＣＫコードブックに配置することを特徴とする請求項２に記載のユーザ端末。
【請求項５】
前記制御部は、コードブックグループベース送信に対応するか否かが同じであるＨＡＲＱ−ＡＣＫ情報ビットを連続して、前記ＨＡＲＱ−ＡＣＫコードブックに配置することを特徴とする請求項２に記載のユーザ端末。
【請求項６】
異なる通信要件を有する複数の下りデータに基づくＨＡＲＱ−ＡＣＫ（Hybrid  Automatic  Repeat  reQuest  ACKnowledgement）コードブックを生成する工程と、
１つの上りチャネルリソースにおいて前記ＨＡＲＱ−ＡＣＫコードブックを送信する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。当該上り制御チャネルの構成（フォーマット）は、ＰＵＣＣＨフォーマット等と呼ばれる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＬＴＥ  Ｒｅｌ．１５以降、５Ｇ、５Ｇ＋、ＮＲなど）では、上り制御チャネル（例えば、ＰＵＣＣＨ）を用いてＵＣＩを送信する場合、上位レイヤシグナリング及び下り制御情報（ＤＣＩ）内の所定フィールド値に基づいて、当該上り制御チャネル用のリソース（例えば、ＰＵＣＣＨリソース）を決定することが検討されている。【０００７】
また、ＮＲでは、ＤＬ信号（例えば、ＰＤＳＣＨ）に対する送達確認信号（ＨＡＲＱ−ＡＣＫ（Hybrid  Automatic  Repeat  reQuest  ACKnowledgement））の送信タイミングを、当該ＰＤＳＣＨをスケジューリングするＤＣＩでＵＥに指定することが検討されている。そのため、異なる送信期間（例えば、スロット）で送信されるＰＤＳＣＨに対応するＨＡＲＱ−ＡＣＫが同じスロットで送信されるケースも生じる。【０００８】
ＵＥは、ＨＡＲＱ−ＡＣＫをコードブックに基づいて（コードブック単位で）フィードバックするが、複数のＨＡＲＱ−ＡＣＫが同じスロットで送信される場合にＨＡＲＱ−ＡＣＫコードブックの生成をどのように制御するかが問題となる。ＨＡＲＱ−ＡＣＫコードブックを適切に生成できなければ、システム性能の劣化等が生じるおそれがある。【０００９】
そこで、本開示は、複数のＨＡＲＱ−ＡＣＫの送信タイミングが同じであっても、ＨＡＲＱ−ＡＣＫコードブックを適切に生成できるユーザ端末及び無線通信方法を提供することを目的の１つとする。
【課題を解決するための手段】
【００１０】
本開示の一態様に係るユーザ端末は、異なる通信要件を有する複数の下りデータに基づくＨＡＲＱ−ＡＣＫ（Hybrid  Automatic  Repeat  reQuest  ACKnowledgement）コードブックを生成する制御部と、１つの上りチャネルリソースにおいて前記ＨＡＲＱ−ＡＣＫコードブックを送信する送信部と、を有することを特徴とする。
【発明の効果】
【００１１】
本開示の一態様によれば、複数のＨＡＲＱ−ＡＣＫの送信タイミングが同じであっても、ＨＡＲＱ−ＡＣＫコードブックを適切に生成できる。
【図面の簡単な説明】
【００１２】
【図１】図１は、ｅＭＢＢサービスのみをサポートするＵＥのＨＡＲＱ−ＡＣＫフィードバックの一例を示す図である。
【図２】図２は、ＵＲＬＬＣサービスのみをサポートするＵＥのＨＡＲＱ−ＡＣＫフィードバックの一例を示す図である。
【図３】図３は、ｅＭＢＢサービス及びＵＲＬＬＣサービスをサポートするＵＥのＨＡＲＱ−ＡＣＫフィードバックの一例を示す図である。
【図４】図４は、態様１−１に係るＨＡＲＱ−ＡＣＫコードブック生成の一例を示す図である。
【図５】図５Ａ及び図５Ｂは、態様１−２の連結方法１及びＣＢＧ設定方法１、２に係るＨＡＲＱ−ＡＣＫコードブック生成の一例を示す図である。
【図６】図６Ａ及び図６Ｂは、態様１−２の連結方法２及びＣＢＧ設定方法１、２に係るＨＡＲＱ−ＡＣＫコードブック生成の一例を示す図である。
【図７】図７は、態様２−１に係るＨＡＲＱ−ＡＣＫコードブック生成の一例を示す図である。
【図８】図８Ａ及び図８Ｂは、態様２−２−１の連結方法１及びサブサブコードブック連結方法１及びＣＢＧ設定方法１、２に係るＨＡＲＱ−ＡＣＫコードブック生成の一例を示す図である。
【図９】図９Ａ及び図９Ｂは、態様２−２−１の連結方法１及びサブサブコードブック連結方法２及びＣＢＧ設定方法１、２に係るＨＡＲＱ−ＡＣＫコードブック生成の一例を示す図である。
【図１０】図１０Ａ及び図１０Ｂは、態様２−２−１の連結方法２及びサブサブコードブック連結方法１及びＣＢＧ設定方法１、２に係るＨＡＲＱ−ＡＣＫコードブック生成の一例を示す図である。
【図１１】図１１Ａ及び図１１Ｂは、態様２−２−１の連結方法２及びサブサブコードブック連結方法２及びＣＢＧ設定方法１、２に係るＨＡＲＱ−ＡＣＫコードブック生成の一例を示す図である。
【図１２】図１２Ａ及び図１２Ｂは、態様２−２−２の連結方法１及びサブサブコードブック連結方法１及びＣＢＧ設定方法１、２に係るＨＡＲＱ−ＡＣＫコードブック生成の一例を示す図である。
【図１３】図１３Ａ及び図１３Ｂは、態様２−２−２の連結方法１及びサブサブコードブック連結方法２及びＣＢＧ設定方法１、２に係るＨＡＲＱ−ＡＣＫコードブック生成の一例を示す図である。
【図１４】図１４Ａ及び図１４Ｂは、態様２−２−２の連結方法２及びサブサブコードブック連結方法１及びＣＢＧ設定方法１、２に係るＨＡＲＱ−ＡＣＫコードブック生成の一例を示す図である。
【図１５】図１５Ａ及び図１５Ｂは、態様２−２−２の連結方法２及びサブサブコードブック連結方法２及びＣＢＧ設定方法１、２に係るＨＡＲＱ−ＡＣＫコードブック生成の一例を示す図である。
【図１６】図１６は、一実施形態に係る無線通信システムの概略構成の一例を示す図である。
【図１７】図１７は、一実施形態に係る基地局の構成の一例を示す図である。
【図１８】図１８は、一実施形態に係るユーザ端末の構成の一例を示す図である。
【図１９】図１９は、一実施形態に係る基地局及びユーザ端末のハードウェア構成の一例を示す図である。
【発明を実施するための形態】
【００１３】
（ＨＡＲＱ−ＡＣＫコードブック）
将来の無線通信システム（たとえば、ＮＲ）では、ユーザ端末が、ＨＡＲＱ−ＡＣＫコードブック（ＨＡＲＱ−ＡＣＫサイズと呼ばれてもよい）を、準静的（semi-static）または動的（dynamic）に決定することが検討されている。基地局は、ユーザ端末に対して、ＨＡＲＱ−ＡＣＫコードブックの決定方法を示す情報、たとえば、ＨＡＲＱ−ＡＣＫコードブックが準静的か、動的かを示す情報を、コンポーネントキャリアごと、セルグループ（Cell  Group（ＣＧ））ごと、ＰＵＣＣＨグループごと、またはユーザ端末ごとに、上位レイヤシグナリングにより通知してもよい。
【００１４】
ＨＡＲＱ−ＡＣＫコードブックは、ＰＤＳＣＨのＨＡＲＱ−ＡＣＫコードブック、ＨＡＲＱ−ＡＣＫコードブックサイズ、ＨＡＲＱ−ＡＣＫビット数などで読み替えられてもよい。
【００１５】
本開示において、上位レイヤシグナリングは、たとえば、ＲＲＣシグナリング、ＭＡＣ（Medium  Access  Control）シグナリング、ブロードキャスト情報のいずれか、またはこれらの組み合わせであってもよい。
【００１６】
ＭＡＣシグナリングは、たとえば、ＭＡＣ制御要素（MAC  Control  Element、MAC  CE）、ＭＡＣ  ＰＤＵ（Protocol  Data  Unit）などを用いてもよい。ブロードキャスト情報は、たとえば、マスタ情報ブロック（Master  Information  Block（ＭＩＢ））、システム情報ブロック（System  Information  Block（ＳＩＢ））、最低限のシステム情報（Remaining  Minimum  System  Information（ＲＭＳＩ））、その他のシステム情報（Other  System  Information（ＯＳＩ））などであってもよい。
【００１７】
ユーザ端末は、コンポーネントキャリアごと、セルグループごと、ＰＵＣＣＨグループごと、またはユーザ端末ごとに、決定したＨＡＲＱ−ＡＣＫコードブックに基づいて、ＨＡＲＱ−ＡＣＫ情報ビットを決定（生成）し、生成したＨＡＲＱ−ＡＣＫを、上り制御チャネル（ＰＵＣＣＨ）または上り共有チャネル（ＰＵＳＣＨ）の少なくとも一方を用いて送信してもよい。
【００１８】
ユーザ端末が、ＨＡＲＱ−ＡＣＫコードブックを準静的に決定することを設定される場合、または、準静的なＨＡＲＱ−ＡＣＫコードブックを設定される場合、当該ＨＡＲＱ−ＡＣＫコードブックの決定は、タイプ１ＨＡＲＱ−ＡＣＫコードブック決定と呼ばれてもよい。ユーザ端末が、ＨＡＲＱ−ＡＣＫコードブックを動的に決定することを設定される場合、または、動的なＨＡＲＱ−ＡＣＫコードブックを設定される場合、当該ＨＡＲＱ−ＡＣＫコードブックの決定は、タイプ２ＨＡＲＱ−ＡＣＫコードブック決定と呼ばれてもよい。
【００１９】
タイプ１ＨＡＲＱ−ＡＣＫコードブックと、準静的ＨＡＲＱ−ＡＣＫコードブックとは、互いに読み替えられてもよい。タイプ２ＨＡＲＱ−ＡＣＫコードブックと、動的ＨＡＲＱ−ＡＣＫコードブックとは、互いに読み替えられてもよい。
【００２０】
ユーザ端末は、タイプ１ＨＡＲＱ−ＡＣＫコードブック決定では、上位レイヤシグナリングで設定される構成に基づいてＨＡＲＱ−ＡＣＫビット数などを決定してもよい。当該設定される構成は、たとえば、ＨＡＲＱ−ＡＣＫのフィードバックタイミングに関連付けられる範囲にわたってスケジュールされるＤＬ（Downlink）送信、たとえば、ＰＤＳＣＨの最大数または最小数などを含んでいてもよい。
【００２１】
当該範囲は、ＨＡＲＱ−ＡＣＫバンドリングウィンドウ（bundling  window）、ＨＡＲＱ−ＡＣＫフィードバックウィンドウ、バンドリングウィンドウ、フィードバックウィンドウなどとも呼ばれる。バンドリングウィンドウは、空間（space）、時間（time）および周波数（frequency）の少なくとも１つの範囲に該当してもよい。
【００２２】
ユーザ端末は、タイプ２ＨＡＲＱ−ＡＣＫコードブック決定では、下り制御情報、たとえば、ＤＬアサインメント（assignment）に含まれるＤＬ割当インデックス（Downlink  Assignment  Index（ＤＡＩ））フィールドのビット列に基づいてＨＡＲＱ−ＡＣＫビット数などを決定してもよい。
【００２３】
ＤＡＩフィールドは、トータルＤＡＩおよびカウンタＤＡＩの少なくとも一方を指示してもよい。
【００２４】
トータルＤＡＩは、スケジュールされるＤＬデータ（ＰＤＳＣＨ）の総数に関する情報であって、ユーザ端末がフィードバックするＨＡＲＱ−ＡＣＫの総ビット数またはコードブックサイズに相当してもよい。
【００２５】
カウンタＤＡＩは、スケジュールされるＤＬデータ（ＰＤＳＣＨ）の累積値に関する情報である。たとえば、ある時間単位、たとえば、スロットまたはサブフレーム内で検出される１つまたは複数のコンポーネントキャリアの下りリンク制御情報（Downlink  Control  Information（ＤＣＩ））に、コンポーネントキャリアインデックス順にナンバリングしたカウンタＤＡＩがそれぞれ含まれていてもよい。複数の時間単位にわたってスケジュールされるＰＤＳＣＨに対するＨＡＲＱ−ＡＣＫをまとめてフィードバックする場合、たとえば、バンドリングウィンドウが複数スロットで構成される場合、当該複数の時間単位にわたってカウンタＤＡＩを適用してもよい。
【００２６】
また、ＵＥは、上位レイヤパラメータ（ＰＤＳＣＨコードブロックグループ送信情報要素、PDSCH-CodeBlockGroupTransmission）によってコードブロックグループ（ＣＢＧ）ベース（CBG-based）送信（ＣＢＧベースＨＡＲＱ−ＡＣＫコードブック決定（determination））を設定されない場合、ＵＥは、トランスポートブロック（ＴＢ）ベース（TB-based）送信（ＴＢベースＨＡＲＱ−ＡＣＫコードブック決定）を想定する。すなわち、ＵＥは、ＴＢ毎のＨＡＲＱ−ＡＣＫ情報ビットを生成する。
【００２７】
ＵＥは、サービングセル（Component  Carrier：ＣＣ）に対してＰＤＳＣＨコードブロックグループ送信情報要素の上位レイヤパラメータを提供された場合、１つのＴＢの複数のＣＢＧを含むＰＤＳＣＨを受信する。ＰＤＳＣＨコードブロックグループ送信情報要素は、１つのＴＢ内のＣＢＧ最大数（maxCodeBlockGroupsPerTransportBlock）を含む。ＵＥは、当該サービングセルのＴＢ受信に対し、複数のＣＢＧの各ＨＡＲＱ−ＡＣＫ情報ビットを生成し、ＣＢＧ最大数のＨＡＲＱ−ＡＣＫ情報ビットを含むＨＡＲＱ−ＡＣＫコードブックを生成する。
【００２８】
ＰＤＳＣＨのスケジューリングに用いられるＤＣＩは、ＣＢＧ送信情報（CBG  Transmission  Information：ＣＢＧＴＩ）を含んでもよいし、ＣＢＧ排出情報（CBG  Flushing  Out  Information：ＣＢＧＦＩ）を含んでもよい。ＣＢＧＴＩは、ＴＢ内のどのＣＢＧが送信されるかを示してもよい。ＣＢＧＦＩは、再送されたＣＢＧが先に受信された同じＣＢＧと合成できる（combinable）か否かを示してもよい。ＵＥは、ＰＤＳＣＨコードブロックグループ送信情報要素内の上位レイヤパラメータ（codeBlockGroupFlushIndicator）によってＣＢＧＦＩが有効であるか否かを指示されてもよい。
【００２９】
（ＰＤＳＣＨ−ｔｏ−ＡＣＫタイミング）
将来の無線通信システム（たとえば、ＮＲ）では、ユーザ端末は、受信したＰＤＳＣＨに対応するＨＡＲＱ−ＡＣＫの送信タイミングを、当該ＰＤＳＣＨをスケジュールするＤＣＩに基づいて決定する。当該タイミングは、ＰＤＳＣＨ−ｔｏ−ＡＣＫタイミング、Ｋ１などと呼ばれてもよい。当該ＤＣＩは、ＤＬ  ＤＣＩ、ＤＬアサインメント、ＤＣＩフォーマット１＿０、ＤＣＩフォーマット１＿１などと呼ばれてもよい。
【００３０】
たとえば、ユーザ端末は、ＤＣＩフォーマット１＿０を検出すると、当該ＤＣＩに含まれる、ＰＤＳＣＨに対応するＨＡＲＱのタイミング指示フィールド（PDSCH-to-HARQ-timing-indicator  field）に基づいて、当該ＰＤＳＣＨの最終シンボルが含まれるスロットｎを基準として、スロット（ｎ＋ｋ）（たとえば、ｋは１から８までの整数）で当該ＰＤＳＣＨに対応するＨＡＲＱ−ＡＣＫを送信する。
【００３１】
ユーザ端末は、ＤＣＩフォーマット１＿１を検出すると、当該ＤＣＩに含まれる、ＰＤＳＣＨに対応するＨＡＲＱのタイミング指示フィールド（PDSCH-to-HARQ-timing-indicator  field）に基づいて、当該ＰＤＳＣＨの最終シンボルが含まれるスロットｎを基準として、スロット（ｎ＋ｋ）（たとえば、ｋは１から８までの整数）で当該ＰＤＳＣＨに対応するＨＡＲＱ−ＡＣＫを送信する。ここで、ｋと上記タイミング指示フィールドとの対応関係は、上位レイヤシグナリングによってＰＵＣＣＨ、ＰＵＣＣＨグループまたはセルグループごとに、ユーザ端末に設定されてもよい。
【００３２】
たとえば、上記対応関係は、ＲＲＣシグナリングのＰＵＣＣＨ設定情報要素（PUCCH  Config  information  element）に含まれるパラメータによって設定されてもよい。当該パラメータは、dl-DataToUL-ACK、Slot-timing-value-K1などと呼ばれてもよい。たとえば、Ｋ１によって、ＰＤＳＣＨ−ｔｏ−ＡＣＫタイミング指示の複数の候補値が上位レイヤシグナリングによって設定され、ＰＤＳＣＨのスケジュールのためのＤＣＩによって、複数の候補値の１つが指示されてもよい。
【００３３】
Ｋ１は、ＰＵＣＣＨグループまたはセルグループごとに設定されてもよい。Ｋ１は、ＨＡＲＱ−ＡＣＫを送信するチャネル、たとえば、ＰＵＣＣＨまたはＰＵＳＣＨのニューメロロジー（たとえば、サブキャリア間隔）に基づいて判断される時間であってもよい。
【００３４】
（ＰＵＣＣＨリソース）
将来の無線通信システム（例えば、ＬＴＥ  Ｒｅｌ．１５以降、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。例えば、ＬＴＥ  Ｒｅｌ．１５では、５種類のＰＦ０〜４をサポートすることが検討されている。なお、以下に示すＰＦの名称は例示にすぎず、異なる名称が用いられてもよい。
【００３５】
例えば、ＰＦ０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう））の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、ＣＳ及びＯＣＣの少なくとも一つを用いた時間領域のブロック拡散により、同一のＰＲＢ内で複数のユーザ端末が符号分割多重（ＣＤＭ）されてもよい。
【００３６】
ＰＦ２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ４では、ＤＦＴ前の（周波数領域）のブロック拡散を用いて複数のユーザ端末がＣＤＭされてもよい。
【００３７】
当該上り制御チャネルの送信に用いられるリソース（例えば、ＰＵＣＣＨリソース）の割り当て（allocation）は、上位レイヤシグナリング及び／又は下り制御情報（ＤＣＩ）を用いて行われる。ここで、上位レイヤシグナリングは、例えば、ＲＲＣ（Radio  Resource  Control）シグナリング、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）、ブロードキャスト情報（ＰＢＣＨ：Physical  Broadcast  Channel）の少なくとも一つであればよい。
【００３８】
具体的には、ユーザ端末に対しては、一以上のＰＵＣＣＨリソースをそれぞれ含む一以上のセット（ＰＵＣＣＨリソースセット）が上位レイヤシグナリングにより通知（設定（configure））される。例えば、ユーザ端末に対して、Ｋ（例えば、１≦Ｋ≦４）個のＰＵＣＣＨリソースセットが無線基地局から通知されてもよい。各ＰＵＣＣＨリソースセットは、Ｍ（例えば、８≦Ｍ≦３２）個のＰＵＣＣＨリソースを含んでもよい。
【００３９】
ユーザ端末は、ＵＣＩのペイロードサイズ（ＵＣＩペイロードサイズ）に基づいて、設定されたＫ個のＰＵＣＣＨリソースセットから単一のＰＵＣＣＨリソースセットを決定してもよい。ＵＣＩペイロードサイズは、巡回冗長検査（ＣＲＣ：Cyclic  Redundancy  Code）ビットを含まないＵＣＩのビット数であってもよい。
【００４０】
ユーザ端末は、決定されたＰＵＣＣＨリソースセットに含まれるＭ個のＰＵＣＣＨリソースから、ＤＣＩ（ＰＵＣＣＨリソース通知フィールド、PUCCH  resource  indicator  field）及び黙示的な（implicit）情報（黙示的指示（implicit  indication）情報又は黙示的インデックス等ともいう）の少なくとも一つに基づいて、ＵＣＩの送信に用いるＰＵＣＣＨリソースを決定してもよい。黙示的指示は、当該ＤＣＩを運ぶＰＤＣＣＨ受信のＣＯＲＥＳＥＴ内のＣＣＥの数と、当該ＰＤＣＣＨ受信の先頭ＣＣＥのインデックスと、ＰＵＣＣＨリソースセット内のＰＵＣＣＨリソースの数と、の少なくとも１つであってもよい。
【００４１】
ユーザ端末に対してＰＵＣＣＨリソースセット＃０〜＃３が設定される場合、ユーザ端末は、ＵＣＩペイロードサイズに基づいていずれかのＰＵＣＣＨリソースセットを選択する。
【００４２】
例えば、ＵＣＩペイロードサイズが１又は２ビットである場合、ＰＵＣＣＨリソースセット＃０が選択される。また、ＵＣＩペイロードサイズが３ビット以上Ｎ２−１ビット以下である場合、ＰＵＣＣＨリソースセット＃１が選択される。また、ＵＣＩペイロードサイズがＮ２ビット以上Ｎ３−１ビット以下である場合、ＰＵＣＣＨリソースセット＃２が選択される。同様に、ＵＣＩペイロードサイズがＮ３ビット以上Ｎ３−１ビット以下である場合、ＰＵＣＣＨリソースセット＃３が選択される。
【００４３】
このように、ＰＵＣＣＨリソースセット＃ｉ（ｉ＝０，…，Ｋ−１）が選択されるＵＣＩペイロードサイズの範囲は、Ｎｉビット以上Ｎｉ＋１−１ビット以下（すなわち、｛Ｎｉ，…，Ｎｉ＋１−１｝ビット）と示される。
【００４４】
ここで、ＰＵＣＣＨリソースセット＃０、＃１用のＵＣＩペイロードサイズの開始位置（開始ビット数）Ｎ０、Ｎ１は、それぞれ、１、３であってもよい。これにより、２ビット以下のＵＣＩを送信する場合にＰＵＣＣＨリソースセット＃０が選択されるので、ＰＵＣＣＨリソースセット＃０は、ＰＦ０及びＰＦ１の少なくとも一つ用のＰＵＣＣＨリソース＃０〜＃Ｍ−１を含んでもよい。一方、２ビットを超えるＵＣＩを送信する場合にはＰＵＣＣＨリソースセット＃１〜＃３のいずれかが選択されるので、ＰＵＣＣＨリソースセット＃１〜＃３は、それぞれ、ＰＦ２、ＰＦ３及びＰＦ４の少なくとも一つ用のＰＵＣＣＨリソース＃０〜＃Ｍ−１を含んでもよい。
【００４５】
また、ＮＲでは、ＰＤＳＣＨをスケジュールするＤＣＩを利用して当該ＰＤＳＣＨに対するＨＡＲＱ−ＡＣＫの送信タイミング（例えば、Ｋ１）をＵＥに通知する。Ｋ１は、ＰＵＣＣＨリソースが設定されるスロットに関する情報であってもよい。
【００４６】
ＵＥは、基地局から通知されるＰＵＣＣＨリソースセットと、ＰＤＳＣＨをスケジュールするＤＣＩで通知されるＨＡＲＱ−ＡＣＫの送信タイミングに基づいてＨＡＲＱ−ＡＣＫの送信を制御する。ＨＡＲＱ−ＡＣＫの送信は、ＨＡＲＱ−ＡＣＫコードブックを利用して（ＨＡＲＱ−ＡＣＫコードブック単位）で制御される。
【００４７】
各ＰＤＳＣＨに対するＨＡＲＱ−ＡＣＫ送信タイミングがＤＣＩで柔軟に設定可能であるため、異なるスロットで送信されるＰＤＳＣＨに対するＨＡＲＱ−ＡＣＫの送信タイミングが同じスロットに設定されるケースも生じる。
【００４８】
図１では、スロット（ＳＬ_＃１）で送信されるＰＤＳＣＨ＃１に対するＨＡＲＱ−ＡＣＫと、スロット（ＳＬ_＃３）で送信されるＰＤＳＣＨ＃２に対するＨＡＲＱ−ＡＣＫの送信タイミングが同じスロット（ここでは、スロット（ＳＬ_＃７））に設定される場合を示している。例えば、ＰＤＳＣＨ＃１をスケジューリングするＤＣＩ＃１に含まれるＫ１＝６、ＰＤＳＣＨ＃２をスケジューリングするＤＣＩ＃２に含まれるＫ１＝４であった場合、ＨＡＲＱ−ＡＣＫ＃１及びＨＡＲＱ−ＡＣＫ＃２の送信タイミングが同じスロット（ＳＬ_＃７）に設定される。
【００４９】
ＵＥがｅＭＢＢ（enhanced  Mobile  Broad  Band）サービスのみをサポートする場合、ＵＥは、１スロット内にＨＡＲＱ−ＡＣＫ情報を有する複数のＰＵＣＣＨを送信することを期待しなくてもよい。このＵＥは、複数のＰＤＳＣＨに対する複数のＨＡＲＱ−ＡＣＫのフィードバックタイミングが同じスロットを指示された場合、当該複数のＨＡＲＱ−ＡＣＫを１スロット内の１つのＨＡＲＱ−ＡＣＫコードブックに多重してもよい。
【００５０】
ｅＭＢＢサービスのみをサポートするＵＥは、図１に示すように、最後に検出されたＤＣＩに基づいて、１つのＨＡＲＱ−ＡＣＫコードブックの送信のための１つのＰＵＣＣＨリソースを決定してもよい。
【００５１】
ＵＥがＵＲＬＬＣ（Ultra  Reliable  and  Low  Latency  Communications）サービスのみをサポートする場合、ＵＥは、遅延（latency）の削減のために、１スロット内にＨＡＲＱ−ＡＣＫ情報を有する複数のＰＵＣＣＨを送信してもよい。ＵＥは、複数のＰＤＳＣＨに対する複数のＨＡＲＱ−ＡＣＫのフィードバックタイミングが同じスロットを指示された場合であっても、当該複数のＨＡＲＱ−ＡＣＫを１スロット内の複数のＨＡＲＱ−ＡＣＫコードブックに分けてもよい。
【００５２】
図２の例では、ＵＲＬＬＣサービスのみをサポートするＵＥは、図１と同様、ＰＤＳＣＨ＃１、＃２のＨＡＲＱ−ＡＣＫのフィードバックタイミングが同じスロット（ＳＬ＃７）を指示されるが、ＤＣＩ＃１、＃２のそれぞれのＰＵＣＣＨリソース通知フィールドに基づいて、同じスロット内の異なるＰＵＣＣＨリソースを用いてもよい。
【００５３】
ＵＥが異なる要件を有する複数のサービスをサポートする場合（例えば、ｅＭＢＢサービス及びＵＲＬＬＣサービスの両方をサポートする場合、又はＵＥが、異なる要件を有する２つのＵＲＬＬＣサービスをサポートする場合）において、ＵＥが複数のサービスのＰＤＳＣＨに対する複数のＨＡＲＱ−ＡＣＫを同じＰＵＣＣＨリソース内に多重する場合、ＵＥはどのようなＨＡＲＱ−ＡＣＫコードブックを生成するかが明らかでない。
【００５４】
図３の例では、スロット（ＳＬ_＃１）で送信されるｅＭＢＢサービスのＰＤＳＣＨ＃１に対するＨＡＲＱ−ＡＣＫと、スロット（ＳＬ_＃２）で送信されるｅＭＢＢサービスのＰＤＳＣＨ＃２に対するＨＡＲＱ−ＡＣＫと、スロット（ＳＬ_＃３）で送信されるＵＲＬＬＣサービスのＰＤＳＣＨ＃３に対するＨＡＲＱ−ＡＣＫと、スロット（ＳＬ_＃４）で送信されるＵＲＬＬＣサービスのＰＤＳＣＨ＃４に対するＨＡＲＱ−ＡＣＫと、の送信タイミングが同じスロット（ここでは、スロット（ＳＬ_＃７））に設定される場合を示している。
【００５５】
このような場合、複数のサービスをサポートするＵＥは、どのようなＨＡＲＱ−ＡＣＫコードブックを生成するかが明らかでない。ＨＡＲＱ−ＡＣＫコードブックを適切に生成できなければ、システム性能の劣化等が生じるおそれがある。
【００５６】
そこで、本発明者らは、異なる通信要件を有する複数の下りデータに基づくＨＡＲＱ−ＡＣＫ情報を生成し、１つの上りチャネルリソースにおいてＨＡＲＱ−ＡＣＫ情報を送信することを着想した。
【００５７】
以下、本開示に係る実施形態について、図面を参照して詳細に説明する。各実施形態に係る無線通信方法は、それぞれ単独で適用されてもよいし、組み合わせて適用されてもよい。
【００５８】
本開示において、サービス（サービスタイプ）は、通信要件（requirement、例えば、信頼性（reliability）、遅延（latency）などの要件）、スケジューリングに用いるパラメータ（ＭＣＳ（Modulation  and  Coding  Scheme）テーブル、ＲＮＴＩ（Radio  Network  Temporary  Identifier）など）の少なくとも１つによって規定されてもよい。例えば、ＵＥは、異なるサービスのＰＤＳＣＨに対して、異なるＭＣＳテーブルを用いて（設定されて）もよい。例えば、異なるサービスのＰＤＳＣＨのスケジューリングのためのＤＣＩのＣＲＣが異なるＲＮＴＩを用いてスクランブルされてもよい。
【００５９】
または、ＵＲＬＬＣに対応するサービスタイプ（又は、トラフィックタイプ）と、ｅＭＢＢに対応するサービスタイプは、以下の少なくとも一つに基づいて識別されてもよい。
・異なる優先度（priority）を有する論理チャネル
・変調及び符号化方式（ＭＣＳ：Modulation  and  Coding  Scheme）テーブル（ＭＣＳインデックステーブル）
・ＤＣＩフォーマット
・当該ＤＣＩ（ＤＣＩフォーマット）に含まれる（付加される）巡回冗長検査（ＣＲＣ：Cyclic  Redundancy  Check）ビットのスクランブル（マスク）に用いられる（無線ネットワーク一時識別子（ＲＮＴＩ：Radio  Network  Temporary  Identifier））
・ＲＲＣ（Radio  Resource  Control）パラメータ
・特定のＲＮＴＩ（例えば、ＵＲＬＬＣ用のＲＮＴＩ、ＭＣＳ−Ｃ−ＲＮＴＩ等）
・サーチスペース
・ＤＣＩ内の所定フィールド（例えば、新たに追加されるフィールド又は既存のフィールドの再利用）
【００６０】
以下、ＵＥが第１サービス及び第２サービスをサポートし、第１サービスはｅＭＢＢサービスであり、第２サービスはＵＲＬＬＣサービスである例について説明するが、第１サービスが第１ＵＲＬＬＣサービスであってもよく、第２サービスが第１ＵＲＬＬＣサービスの要件と異なる要件を有する第２ＵＲＬＬＣサービスであってもよい。
【００６１】
ケース２では、ＵＥがｅＭＢＢサービスのみに対してＣＢＧベース送信を設定される例について説明している。この例は、ＵＲＬＬＣサービスの信頼性が高く、再送を行う確率が低いこと、ＵＲＬＬＣサービスの遅延が小さく、ＨＡＲＱ−ＡＣＫ情報ビット数を少なくすることが好ましいことから、ＵＲＬＬＣサービスにＴＢベース送信を用いる。一方、ｅＭＢＢサービスに対して再送のためのリソースが十分確保できる場合に、ＵＥがｅＭＢＢサービス（第１サービス）に対してＴＢベース送信を設定され、ＵＲＬＬＣサービス（第２サービス）に対してＣＢＧベース送信を設定される場合にも、以下の実施形態を適用できる。また、第１サービスがＵＲＬＬＣサービスであり、第２サービスがｅＭＢＢサービスである場合にも、以下の実施形態を適用できる。
【００６２】
以下、１つのＨＡＲＱ−ＡＣＫコードブックが複数のＨＡＲＱ−ＡＣＫサブコードブック（sub-codebook）を含む場合と、１つのＨＡＲＱ−ＡＣＫサブコードブックが複数のＨＡＲＱ−ＡＣＫサブサブコードブック（sub-sub-codebook）を含む場合と、について説明するが、ＨＡＲＱ−ＡＣＫサブコードブックの代わりに、ＨＡＲＱ−ＡＣＫコードブックが用いられてもよい。この場合、１つのＨＡＲＱ−ＡＣＫコードブックは２つの連結されたＨＡＲＱ−ＡＣＫコードブックと読み替えられてもよく、ＨＡＲＱ−ＡＣＫサブコードブックはＨＡＲＱ−ＡＣＫコードブックと読み替えられてもよく、ＨＡＲＱ−ＡＣＫサブサブコードブックはＨＡＲＱ−ＡＣＫサブコードブックと読み替えられてもよい。
【００６３】
以下、ＵＥが、複数のＰＤＳＣＨに対するＨＡＲＱ−ＡＣＫコードブックを１つのＰＵＣＣＨリソースにおいて送信する場合について説明するが、１つのＰＵＳＣＨリソースにおいて送信（ピギーバック）してもよい。
【００６４】
（無線通信方法）
複数のサービスをサポートするＵＥのＨＡＲＱ−ＡＣＫコードブックにおいて、次のケース１、２を考慮する必要がある。
【００６５】
［ケース１］
ＵＥは、トランスポートブロック（ＴＢ）ベース（TB-based）ＨＡＲＱ−ＡＣＫを設定される。言い換えれば、ＵＥは、コードブロックグループ（ＣＢＧ）ベース（CBG-based）ＨＡＲＱ−ＡＣＫを設定されない。
【００６６】
［ケース２］
ＵＥは、ＴＢベース送信及びＣＢＧベース送信を設定される。
【００６７】
（態様１）
ＵＥは、異なるサービスに対する複数のＨＡＲＱ−ＡＣＫをまとめて生成してもよい。言い換えれば、ＵＥは、異なるサービスに対する複数のＨＡＲＱ−ＡＣＫを区別せずに生成してもよい。ＵＥは、異なるサービスに対する複数のＨＡＲＱ−ＡＣＫが混在する情報に生成してもよい。
【００６８】
ＵＥは、前述のケース１、２に対して異なる動作を行ってもよい。
【００６９】
＜態様１−１＞
ケース１に対し、ＵＥは、異なるサービスに対するＨＡＲＱ−ＡＣＫを共に符号化してもよい。
【００７０】
ＵＥは、異なるサービス用のＤＡＩを共にカウントしてもよい。
【００７１】
以下の図の例において、第１サービスはｅＭＢＢサービスであり、第２サービスはＵＲＬＬＣサービスである。
【００７２】
図４は、態様１−１に係るＨＡＲＱ−ＡＣＫコードブック生成の一例を示す図である。
【００７３】
ＵＥは、ＣＣ１、２、３に対してＣＢＧベース送信を設定されない。よって、ＵＥは、ＣＣ１、２、３においてＴＢベース送信に対するＨＡＲＱ−ＡＣＫを生成する（ＴＢベースＨＡＲＱ−ＡＣＫコードブック決定を行う）。
【００７４】
ＵＥは、ＣＣ１、２においてｅＭＢＢサービスのＰＤＳＣＨを受信し、ＣＣ２、３においてＵＲＬＬＣサービスのＰＤＳＣＨを受信する。
【００７５】
ＵＥは、ＰＤＳＣＨのサービスに関わらず、ＴＢベース送信に対してＤＡＩをカウントする。
【００７６】
ＵＥは、ＣＣインデックス順にカウンタＤＡＩをカウントし、次にスロットインデックス順にカウンタＤＡＩをカウントする。ＵＥは、スロットインデックス順にトータルＤＡＩをカウントする。
【００７７】
ＵＥは、１ＴＢ毎に１つのＨＡＲＱ−ＡＣＫ情報ビットを生成する。
【００７８】
ＵＥは、ＣＣインデックス順にＨＡＲＱ−ＡＣＫ情報ビットをＨＡＲＱ−ＡＣＫコードブックへ配置し、次にスロットインデックス順にＨＡＲＱ−ＡＣＫ情報ビットをＨＡＲＱ−ＡＣＫコードブックへ配置する。言い換えれば、ＵＥは、第１サービス及び第２サービスに関わらず、ＨＡＲＱ−ＡＣＫコードブックに配置する。
【００７９】
この態様１−１によれば、ＵＥは、異なるサービスのＰＤＳＣＨに対するＨＡＲＱ−ＡＣＫを１つのＨＡＲＱ−ＡＣＫコードブックとして適切に送信できる。
【００８０】
＜態様１−２＞
ケース２に対し、ＵＥは、２つのＨＡＲＱ−ＡＣＫサブコードブック（サブコードブック）を生成してもよい。
【００８１】
２つのサブコードブックは、ＴＢベース送信に対するサブコードブックと、ＣＢＧベース送信に対するサブコードブックと、であってもよい。言い換えれば、ＵＥは、ＨＡＲＱ−ＡＣＫ情報ビットに対応するサービスに基づいて、ＨＡＲＱ−ＡＣＫコードブックにおける前記ＨＡＲＱ−ＡＣＫ情報ビットの位置を決定してもよい。また、ＵＥは、ＴＢベース送信に対するＨＡＲＱ−ＡＣＫ情報ビットを連続してＨＡＲＱ−ＡＣＫコードブックに配置し、ベース送信に対するＨＡＲＱ−ＡＣＫ情報ビットを連続してＨＡＲＱ−ＡＣＫコードブックに配置してもよい。
【００８２】
ＵＥは、第１サービス及び第２サービスをサポートする場合、次のＣＢＧ設定方法１、２の１つに従って、第１サービス及び第２サービスの少なくとも１つに対し、ＣＢＧベース送信を設定されてもよい。
【００８３】
［ＣＢＧ設定方法１］
上位レイヤシグナリングによってＣＢＧベース送信を設定されたサービングセルにおいて、ＵＥは、第１サービスのＰＤＳＣＨがＣＢＧベース送信であると期待し、第１サービスのＣＢＧベース送信に対するＨＡＲＱ−ＡＣＫを生成してもよい（ＣＢＧベースＨＡＲＱ−ＡＣＫコードブック決定を行ってもよい）。第１サービスのＰＤＳＣＨのスケジューリングのためのＤＣＩは、送信されるＣＢＧを指示する情報（ＣＢＧ送信情報、例えば、ＣＢＧＴＩ）を含んでもよい。
【００８４】
上位レイヤシグナリングによってＣＢＧベース送信を設定されたサービングセルにおいて、ＵＥは、第２サービスのＰＤＳＣＨがＴＢベース送信であると期待し、第２サービスのＴＢベース送信に対するＨＡＲＱ−ＡＣＫを生成してもよい（ＴＢベースＨＡＲＱ−ＡＣＫコードブック決定を行ってもよい）。第２サービスのＰＤＳＣＨのスケジューリングのためのＤＣＩは、送信されるＣＢＧを指示する情報（ＣＢＧ送信情報、例えば、ＣＢＧＴＩ）を含まなくてもよい。
【００８５】
すなわち、上位レイヤシグナリングによって、サービングセルに対してＣＢＧベース送信を設定された場合であっても、当該サービングセル上の当該第２サービスのＰＤＳＣＨにＣＢＧベース送信が適用されなくてもよい。
【００８６】
［ＣＢＧ設定方法２］
上位レイヤシグナリングによってＣＢＧベース送信を設定されたサービングセルにおいて、ＵＥは、第１サービスであるか第２サービスであるかに関わらず、ＰＤＳＣＨがＣＢＧベース送信であると期待し、ＣＢＧベース送信に対するＨＡＲＱ−ＡＣＫを生成してもよい（ＣＢＧベースＨＡＲＱ−ＡＣＫコードブック決定を行ってもよい）。ＰＤＳＣＨのスケジューリングのためのＤＣＩは、送信されるＣＢＧを指示する情報（ＣＢＧ送信情報、例えば、ＣＢＧＴＩ）を含んでもよい。
【００８７】
ＵＥは、２つのサブコードブックを連結することによって１つのＨＡＲＱ−ＡＣＫコードブックを生成してもよい。ＵＥは、次の連結方法１、２の１つに従って、２つのサブコードブックを連結してもよい。
【００８８】
［連結方法１］
ＵＥは、ＴＢベース送信に対するサブコードブックを先に配置する。
【００８９】
［連結方法２］
ＵＥは、ＣＢＧベース送信に対するサブコードブックを先に配置する。
【００９０】
ＵＥは、ＴＢベース送信に対するＤＡＩと、ＣＢＧベース送信に対するＤＡＩと、を別々にカウントしてもよい。
【００９１】
図５Ａは、態様１−２の連結方法１及びＣＢＧ設定方法１に係るＨＡＲＱ−ＡＣＫコードブック生成の一例を示す図である。主に図４との違いを説明する。
【００９２】
ＵＥは、ＣＣ２に対してＣＢＧベース送信を設定され、ＣＢＧ最大数として４を設定される。ＵＥは、ＣＣ２のｅＭＢＢサービスのＰＤＳＣＨがＣＢＧベース送信であると期待する。一方でＵＥは、ＣＣ２のＵＲＬＬＣサービスのＰＤＳＣＨがＴＢベース送信であると期待する。よって、ＵＥは、ＣＣ２において、ｅＭＢＢサービス及びＣＢＧベース送信に対するＨＡＲＱ−ＡＣＫと、ＵＲＬＬＣサービス及びＴＢベース送信に対するＨＡＲＱ−ＡＣＫと、を生成する。
【００９３】
ＵＥは、ＰＤＳＣＨのサービスに関わらず、ＴＢベース送信のＤＡＩとＣＢＧベース送信のＤＡＩとを別々にカウントする。
【００９４】
ＵＥは、ＴＢベース送信に対し、１ＴＢ毎に１つのＨＡＲＱ−ＡＣＫ情報ビットを生成し、ＣＢＧベース送信に対し、１ＣＢＧ毎に１つのＨＡＲＱ−ＡＣＫ情報ビットを生成する。
【００９５】
ＵＥは、ＴＢベース送信に対するＨＡＲＱ−ＡＣＫ情報ビットを、ＣＣインデックス順、スロットインデックス順に１番目のサブコードブックへ配置し、ＣＢＧベース送信に対するＨＡＲＱ−ＡＣＫ情報ビットを、ＣＣインデックス順、スロットインデックス順に２番目のサブコードブックへ配置する。
【００９６】
図５Ｂは、態様１−２の連結方法１及びＣＢＧ設定方法２に係るＨＡＲＱ−ＡＣＫコードブック生成の一例を示す図である。主に図５Ａとの違いを説明する。
【００９７】
ＵＥは、ＣＣ２に対してＣＢＧベース送信を設定され、ＣＢＧ最大数として４を設定される。ＵＥは、ＣＣ２のｅＭＢＢサービスのＰＤＳＣＨがＣＢＧベース送信であると期待し、ＣＣ２のＵＲＬＬＣサービスのＰＤＳＣＨがＣＢＧベース送信であると期待する。よって、ＵＥは、ＣＣ２において、ｅＭＢＢサービス及びＣＢＧベース送信に対するＨＡＲＱ−ＡＣＫと、ＵＲＬＬＣサービス及びＣＢＧベース送信に対するＨＡＲＱ−ＡＣＫと、を生成する。
【００９８】
図６Ａは、態様１−２の連結方法２及びＣＢＧ設定方法１に係るＨＡＲＱ−ＡＣＫコードブック生成の一例を示す図である。主に図５Ａとの違いを説明する。
【００９９】
ＵＥは、ＣＢＧベース送信に対するＨＡＲＱ−ＡＣＫ情報ビットを、ＣＣインデックス順、スロットインデックス順に１番目のサブコードブックへ配置し、ＴＢベース送信に対するＨＡＲＱ−ＡＣＫ情報ビットを、ＣＣインデックス順、スロットインデックス順に２番目のサブコードブックへ配置する。
【０１００】
図６Ｂは、態様１−２の連結方法２及びＣＢＧ設定方法２に係るＨＡＲＱ−ＡＣＫコードブック生成の一例を示す図である。主に図６Ａとの違いを説明する。
【０１０１】
ＵＥは、ＣＣ２に対してＣＢＧベース送信を設定され、ＣＢＧ最大数として４を設定される。ＵＥは、ＣＣ２のｅＭＢＢサービスのＰＤＳＣＨがＣＢＧベース送信であると期待し、ＣＣ２のＵＲＬＬＣサービスのＰＤＳＣＨがＣＢＧベース送信であると期待する。よって、ＵＥは、ＣＣ２において、ｅＭＢＢサービス及びＣＢＧベース送信に対するＨＡＲＱ−ＡＣＫと、ＵＲＬＬＣサービス及びＣＢＧベース送信に対するＨＡＲＱ−ＡＣＫと、を生成する。
【０１０２】
この態様１−２によれば、異なるサービスのＰＤＳＣＨにおいて、ＴＢベース送信及びＣＢＧベース送信が混在する場合であっても、それらのＰＤＳＣＨに対するＨＡＲＱ−ＡＣＫを１つのＨＡＲＱ−ＡＣＫコードブックとして適切に送信できる。
【０１０３】
（態様２）
ＵＥは、異なるサービスに対する複数のＨＡＲＱ−ＡＣＫを別々に生成してもよい。言い換えれば、ＵＥは、サービス毎のＨＡＲＱ−ＡＣＫを生成し、それらを連結してもよい。
【０１０４】
ＵＥは、前述のケース１、２に対して異なる動作を行ってもよい。
【０１０５】
＜態様２−１＞
ケース１に対し、ＵＥは、２つのＨＡＲＱ−ＡＣＫサブコードブック（サブコードブック）を生成してもよい。
【０１０６】
２つのサブコードブックは、第１サービスに対するサブコードブックと、第２サービスに対するサブコードブックと、であってもよい。言い換えれば、ＵＥは、ＨＡＲＱ−ＡＣＫ情報ビットに対応するサービスに基づいて、ＨＡＲＱ−ＡＣＫコードブックにおける前記ＨＡＲＱ−ＡＣＫ情報ビットの位置を決定してもよい。また、ＵＥは、第１サービスに対するＨＡＲＱ−ＡＣＫ情報ビットを連続してＨＡＲＱ−ＡＣＫコードブックに配置してもよく、第２サービスに対するＨＡＲＱ−ＡＣＫ情報ビットを連続してＨＡＲＱ−ＡＣＫコードブックに配置してもよい。
【０１０７】
ＵＥは、２つのサブコードブックを連結することによって１つのＨＡＲＱ−ＡＣＫコードブックを生成してもよい。ＵＥは、次の連結方法１、２の１つに従って、２つのサブコードブックを連結してもよい。
【０１０８】
［連結方法１］
ＵＥは、第１サービスに対するサブコードブックを先に配置する。
【０１０９】
［連結方法２］
ＵＥは、第２サービスに対するサブコードブックを先に配置する。
【０１１０】
ＵＥは、第１サービスに対するＤＡＩと、第２サービスに対するＤＡＩと、を別々にカウントしてもよい。
【０１１１】
図７は、態様２−１に係るＨＡＲＱ−ＡＣＫコードブック生成の一例を示す図である。
【０１１２】
ＵＥは、ＣＣ１、２、３に対してＣＢＧベース送信を設定されない。よって、ＵＥは、ＣＣ１、２、３において、ＴＢベース送信に対するＨＡＲＱ−ＡＣＫを生成する。
【０１１３】
ＵＥは、ＣＣ１、２においてｅＭＢＢサービスのＰＤＳＣＨを受信し、ＣＣ２、３においてＵＲＬＬＣサービスのＰＤＳＣＨを受信する。
【０１１４】
ＵＥは、ｅＭＢＢサービスに対するＤＡＩと、ＵＲＬＬＣサービスに対するＤＡＩと、を別々にカウントする。
【０１１５】
ＵＥは、ＣＣインデックス順にカウンタＤＡＩをカウントし、次にスロットインデックス順にカウンタＤＡＩをカウントする。ＵＥは、スロットインデックス順にトータルＤＡＩをカウントする。
【０１１６】
ＵＥは、１ＴＢ毎に１つのＨＡＲＱ−ＡＣＫ情報ビットを生成する。
【０１１７】
連結方法１を用いる場合（ＨＡＲＱ−ＡＣＫコードブック１）、ＵＥは、ｅＭＢＢサービスに対するＨＡＲＱ−ＡＣＫ情報ビットを、ＣＣインデックス順、スロットインデックス順に１番目のサブコードブックへ配置し、ＵＲＬＬＣサービスに対するＨＡＲＱ−ＡＣＫ情報ビットを、ＣＣインデックス順、スロットインデックス順に２番目のサブコードブックへ配置する。
【０１１８】
連結方法２を用いる場合（ＨＡＲＱ−ＡＣＫコードブック２）、ＵＥは、ＵＲＬＬＣサービスに対するＨＡＲＱ−ＡＣＫ情報ビットを、ＣＣインデックス順、スロットインデックス順に１番目のサブコードブックへ配置し、ｅＭＢＢサービスに対するＨＡＲＱ−ＡＣＫ情報ビットを、ＣＣインデックス順、スロットインデックス順に２番目のサブコードブックへ配置する。
【０１１９】
この態様２−１によれば、ＵＥは、異なるサービスのＰＤＳＣＨに対するＨＡＲＱ−ＡＣＫを１つのＨＡＲＱ−ＡＣＫコードブックとして適切に送信できる。
【０１２０】
＜態様２−２＞
ケース２に対し、ＵＥは、２つのＨＡＲＱ−ＡＣＫサブコードブック（サブコードブック）を生成してもよい。
【０１２１】
ＵＥは、次の態様２−２−１、２−２−２の１つに従って、２つのサブコードブックを生成してもよい。
【０１２２】
《態様２−２−１》
２つのサブコードブックは、第１サービスに対するサブコードブックと、第２サービスに対するサブコードブックと、であってもよい。言い換えれば、ＵＥは、ＨＡＲＱ−ＡＣＫ情報ビットに対応するサービスに基づいて、ＨＡＲＱ−ＡＣＫコードブックにおける前記ＨＡＲＱ−ＡＣＫ情報ビットの位置を決定してもよい。また、ＵＥは、第１サービスに対するＨＡＲＱ−ＡＣＫ情報ビットを連続してＨＡＲＱ−ＡＣＫコードブックに配置してもよく、第２サービスに対するＨＡＲＱ−ＡＣＫ情報ビットを連続してＨＡＲＱ−ＡＣＫコードブックに配置してもよい。
【０１２３】
ＵＥは、第１サービスに対するサブコードブックのために、２つのＨＡＲＱ−ＡＣＫサブサブコードブック（サブサブコードブック）を生成してもよい。
【０１２４】
第１サービスに対する２つのサブサブコードブックは、ＴＢベース送信に対するサブサブコードブックと、ＣＢＧベース送信に対するサブサブコードブックと、であってもよい。
【０１２５】
ＵＥは、２つのサブサブコードブックを連結することによって１つのサブコードブックを生成してもよい。ＵＥは、次のサブサブコードブック連結方法１、２の１つに従って、２つのサブサブコードブックを連結してもよい。
【０１２６】
［サブサブコードブック連結方法１］
ＵＥは、ＴＢベース送信に対するサブサブコードブックを先に配置する。
【０１２７】
［サブサブコードブック連結方法２］
ＵＥは、ＣＢＧベース送信に対するサブサブコードブックを先に配置する。
【０１２８】
ＵＥは、次のＣＢＧ設定方法１、２に従って、第１サービス及び第２サービスの少なくとも１つに対し、ＣＢＧベース送信を設定されてもよい。
【０１２９】
［ＣＢＧ設定方法１］
ＵＥは、上位レイヤシグナリングによってＣＢＧベース送信を設定されたサービングセルにおいて、第１サービスのＰＤＳＣＨがＣＢＧベース送信であると期待してもよい。これによって、ＵＥは、第１サービスにおいてＣＢＧベース送信に対するＨＡＲＱ−ＡＣＫを生成してもよい。
【０１３０】
ＵＥは、上位レイヤシグナリングによってＣＢＧベース送信を設定されたサービングセルにおいて、第２サービスのＰＤＳＣＨがＴＢベース送信であると期待してもよい。これによって、ＵＥは、第２サービスにおいてＴＢベース送信に対するＨＡＲＱ−ＡＣＫを生成してもよい。
【０１３１】
ＵＥは、第２サービスに対するサブコードブックとして、１つのサブサブコードブックを生成してもよい。このサブサブコードブックは、ＴＢベース送信に対するサブサブコードブックであってもよい。
【０１３２】
［ＣＢＧ設定方法２］
ＵＥは、上位レイヤシグナリングによってＣＢＧベース送信を設定されたサービングセルにおいて、第１サービスであるか第２サービスであるかに関わらず、ＰＤＳＣＨがＣＢＧベース送信であると期待してもよい。これによって、ＵＥは、第１サービス及び第２サービスの両方においてＣＢＧベース送信に対するＨＡＲＱ−ＡＣＫを生成してもよい。
【０１３３】
ＵＥは、第２サービスに対するサブコードブックのために、２つのサブサブコードブックを生成してもよい。
【０１３４】
２つのサブサブコードブックは、ＴＢベース送信に対するサブサブコードブックと、ＣＢＧベース送信に対するサブサブコードブックと、であってもよい。
【０１３５】
ＵＥは、２つのサブサブコードブックを連結することによって１つのサブコードブックを生成してもよい。ＵＥは、次のサブサブコードブック連結方法１、２の１つに従って、２つのサブサブコードブックを連結してもよい。
【０１３６】
［サブサブコードブック連結方法１］
ＵＥは、ＴＢベース送信に対するサブサブコードブックを先に配置する。
【０１３７】
［サブサブコードブック連結方法２］
ＵＥは、ＣＢＧベース送信に対するサブサブコードブックを先に配置する。
【０１３８】
ＵＥは、２つのサブコードブックを連結することによって１つのＨＡＲＱ−ＡＣＫコードブックを生成してもよい。ＵＥは、次の連結方法１、２の１つに従って、２つのサブコードブックを連結してもよい。
【０１３９】
［連結方法１］
ＵＥは、第１サービスに対するサブコードブックを先に配置する。
【０１４０】
［連結方法２］
ＵＥは、第２サービスに対するサブコードブックを先に配置する。
【０１４１】
ＵＥは、第１サービスに対するサブコードブックと、第２サービスに対するサブコードブックと、を別々に符号化してもよい。
【０１４２】
ＵＥは、第１サービス及びＴＢベース送信に対するＤＡＩと、第１サービス及びＣＢＧベース送信に対するＤＡＩと、第２サービス及びＴＢベース送信に対するＤＡＩと、第２サービス及びＣＢＧベース送信に対するＤＡＩと、を別々にカウントしてもよい。
【０１４３】
図８Ａは、態様２−２−１の連結方法１及びサブサブコードブック連結方法１及びＣＢＧ設定方法１に係るＨＡＲＱ−ＡＣＫコードブック生成の一例を示す図である。主に図７との違いを説明する。
【０１４４】
ＵＥは、ＣＣ２に対してＣＢＧベース送信を設定され、ＣＢＧ最大数として４を設定される。ＵＥは、ＣＣ２のｅＭＢＢサービスのＰＤＳＣＨがＣＢＧベース送信であると期待する。一方でＵＥは、ＣＣ２のＵＲＬＬＣサービスのＰＤＳＣＨがＴＢベース送信であると期待する。よって、ＵＥは、ＣＣ２において、ｅＭＢＢサービス及びＣＢＧベース送信に対するＨＡＲＱ−ＡＣＫと、ＵＲＬＬＣサービス及びＴＢベース送信に対するＨＡＲＱ−ＡＣＫと、を生成する。
【０１４５】
ＵＥは、ｅＭＢＢサービスのＴＢベース送信のＤＡＩと、ｅＭＢＢサービスのＣＢＧベース送信のＤＡＩと、ＵＲＬＬＣサービスのＴＢベース送信のＤＡＩと、を別々にカウントする。
【０１４６】
ＵＥは、ＴＢベース送信に対し、１ＴＢ毎に１つのＨＡＲＱ−ＡＣＫ情報ビットを生成し、ＣＢＧベース送信に対し、１ＣＢＧ毎に１つのＨＡＲＱ−ＡＣＫ情報ビットを生成する。
【０１４７】
ＵＥは、ｅＭＢＢサービス及びＴＢベース送信に対するＨＡＲＱ−ＡＣＫ情報ビットを、ＣＣインデックス順、スロットインデックス順に１番目のサブコードブックの１番目のサブサブコードブックへ配置し、ｅＭＢＢサービス及びＣＢＧベース送信に対するＨＡＲＱ−ＡＣＫ情報ビットを、ＣＣインデックス順、スロットインデックス順に１番目のサブコードブックの２番目のサブサブコードブックへ配置する。更にＵＥは、ＵＲＬＬＣサービス及びＴＢベース送信に対するＨＡＲＱ−ＡＣＫ情報ビットを、ＣＣインデックス順、スロットインデックス順に２番目のサブコードブック（サブサブコードブック）へ配置する。
【０１４８】
図８Ｂは、態様２−２−１の連結方法１及びサブサブコードブック連結方法１及びＣＢＧ設定方法２に係るＨＡＲＱ−ＡＣＫコードブック生成の一例を示す図である。主に図８Ａとの違いを説明する。
【０１４９】
ＵＥは、ＣＣ２に対してＣＢＧベース送信を設定され、ＣＢＧ最大数として４を設定される。ＵＥは、ＣＣ２のｅＭＢＢサービスのＰＤＳＣＨがＣＢＧベース送信であると期待し、ＣＣ２のＵＲＬＬＣサービスのＰＤＳＣＨがＣＢＧベース送信であると期待する。よって、ＵＥは、ＣＣ２において、ｅＭＢＢサービス及びＣＢＧベース送信に対するＨＡＲＱ−ＡＣＫと、ＵＲＬＬＣサービス及びＣＢＧベース送信に対するＨＡＲＱ−ＡＣＫと、を生成する。
【０１５０】
ＵＥは、ｅＭＢＢサービスのＴＢベース送信のＤＡＩと、ｅＭＢＢサービスのＣＢＧベース送信のＤＡＩと、ＵＲＬＬＣサービスのＴＢベース送信のＤＡＩと、ＵＲＬＬＣサービスのＣＢＧベース送信のＤＡＩと、を別々にカウントする。
【０１５１】
ＵＥは、ｅＭＢＢサービス及びＴＢベース送信に対するＨＡＲＱ−ＡＣＫ情報ビットを、ＣＣインデックス順、スロットインデックス順に１番目のサブコードブックの１番目のサブサブコードブックへ配置し、ｅＭＢＢサービス及びＣＢＧベース送信に対するＨＡＲＱ−ＡＣＫ情報ビットを、ＣＣインデックス順、スロットインデックス順に１番目のサブコードブックの２番目のサブサブコードブックへ配置する。更にＵＥは、ＵＲＬＬＣサービス及びＴＢベース送信に対するＨＡＲＱ−ＡＣＫ情報ビットを、ＣＣインデックス順、スロットインデックス順に２番目のサブコードブックの１番目のサブサブコードブックへ配置し、ＵＲＬＬＣサービス及びＣＢＧベース送信に対するＨＡＲＱ−ＡＣＫ情報ビットを、ＣＣインデックス順、スロットインデックス順に２番目のサブコードブックの２番目のサブサブコードブックへ配置する。
【０１５２】
図９Ａは、態様２−２−１の連結方法１及びサブサブコードブック連結方法２及びＣＢＧ設定方法１に係るＨＡＲＱ−ＡＣＫコードブック生成の一例を示す図である。主に図８Ａとの違いを説明する。
【０１５３】
ＵＥは、ｅＭＢＢサービス及びＣＢＧベース送信に対するＨＡＲＱ−ＡＣＫ情報ビットを、ＣＣインデックス順、スロットインデックス順に１番目のサブコードブックの１番目のサブサブコードブックへ配置し、ｅＭＢＢサービス及びＴＢベース送信に対するＨＡＲＱ−ＡＣＫ情報ビットを、ＣＣインデックス順、スロットインデックス順に１番目のサブコードブックの２番目のサブサブコードブックへ配置する。更にＵＥは、ＵＲＬＬＣサービス及びＴＢベース送信に対するＨＡＲＱ−ＡＣＫ情報ビットを、ＣＣインデックス順、スロットインデックス順に２番目のサブコードブック（サブサブコードブック）へ配置する。
【０１５４】
図９Ｂは、態様２−２−１の連結方法１及びサブサブコードブック連結方法２及びＣＢＧ設定方法２に係るＨＡＲＱ−ＡＣＫコードブック生成の一例を示す図である。主に図８Ａとの違いを説明する。
【０１５５】
ＵＥは、ＣＣ２に対してＣＢＧベース送信を設定され、ＣＢＧ最大数として４を設定される。ＵＥは、ＣＣ２のｅＭＢＢサービスのＰＤＳＣＨがＣＢＧベース送信であると期待し、ＣＣ２のＵＲＬＬＣサービスのＰＤＳＣＨがＣＢＧベース送信であると期待する。よって、ＵＥは、ＣＣ２において、ｅＭＢＢサービス及びＣＢＧベース送信に対するＨＡＲＱ−ＡＣＫと、ＵＲＬＬＣサービス及びＣＢＧベース送信に対するＨＡＲＱ−ＡＣＫと、を生成する。
【０１５６】
ＵＥは、ｅＭＢＢサービス及びＣＢＧベース送信に対するＨＡＲＱ−ＡＣＫ情報ビットを、ＣＣインデックス順、スロットインデックス順に１番目のサブコードブックの１番目のサブサブコードブックへ配置し、ｅＭＢＢサービス及びＴＢベース送信に対するＨＡＲＱ−ＡＣＫ情報ビットを、ＣＣインデックス順、スロットインデックス順に１番目のサブコードブックの２番目のサブサブコードブックへ配置する。更にＵＥは、ＵＲＬＬＣサービス及びＣＢＧベース送信に対するＨＡＲＱ−ＡＣＫ情報ビットを、ＣＣインデックス順、スロットインデックス順に２番目のサブコードブックの１番目のサブサブコードブックへ配置し、ＵＲＬＬＣサービス及びＴＢベース送信に対するＨＡＲＱ−ＡＣＫ情報ビットを、ＣＣインデックス順、スロットインデックス順に２番目のサブコードブックの２番目のサブサブコードブックへ配置する。
【０１５７】
図１０Ａは、態様２−２−１の連結方法２及びサブサブコードブック連結方法１及びＣＢＧ設定方法１に係るＨＡＲＱ−ＡＣＫコードブック生成の一例を示す図である。主に図８Ａとの違いを説明する。
【０１５８】
ＵＥは、ＵＲＬＬＣサービス及びＴＢベース送信に対するＨＡＲＱ−ＡＣＫ情報ビットを、ＣＣインデックス順、スロットインデックス順に１番目のサブコードブック（サブサブコードブック）へ配置する。更にＵＥは、ｅＭＢＢサービス及びＴＢベース送信に対するＨＡＲＱ−ＡＣＫ情報ビットを、ＣＣインデックス順、スロットインデックス順に２番目のサブコードブックの１番目のサブサブコードブックへ配置し、ｅＭＢＢサービス及びＣＢＧベース送信に対するＨＡＲＱ−ＡＣＫ情報ビットを、ＣＣインデックス順、スロットインデックス順に２番目のサブコードブックの２番目のサブサブコードブックへ配置する。
【０１５９】
図１０Ｂは、態様２−２−１の連結方法２及びサブサブコードブック連結方法１及びＣＢＧ設定方法２に係るＨＡＲＱ−ＡＣＫコードブック生成の一例を示す図である。主に図８Ｂとの違いを説明する。
【０１６０】
ＵＥは、ＵＲＬＬＣサービス及びＴＢベース送信に対するＨＡＲＱ−ＡＣＫ情報ビットを、ＣＣインデックス順、スロットインデックス順に１番目のサブコードブックの１番目のサブサブコードブックへ配置し、ＵＲＬＬＣサービス及びＣＢＧベース送信に対するＨＡＲＱ−ＡＣＫ情報ビットを、ＣＣインデックス順、スロットインデックス順に１番目のサブコードブックの２番目のサブサブコードブックへ配置する。更にＵＥは、ｅＭＢＢサービス及びＴＢベース送信に対するＨＡＲＱ−ＡＣＫ情報ビットを、ＣＣインデックス順、スロットインデックス順に２番目のサブコードブックの１番目のサブサブコードブックへ配置し、ｅＭＢＢサービス及びＣＢＧベース送信に対するＨＡＲＱ−ＡＣＫ情報ビットを、ＣＣインデックス順、スロットインデックス順に２番目のサブコードブックの２番目のサブサブコードブックへ配置する。
【０１６１】
図１１Ａは、態様２−２−１の連結方法２及びサブサブコードブック連結方法２及びＣＢＧ設定方法１に係るＨＡＲＱ−ＡＣＫコードブック生成の一例を示す図である。主に図９Ａとの違いを説明する。
【０１６２】
ＵＥは、ＵＲＬＬＣサービス及びＴＢベース送信に対するＨＡＲＱ−ＡＣＫ情報ビットを、ＣＣインデックス順、スロットインデックス順に１番目のサブコードブック（サブサブコードブック）へ配置する。更にＵＥは、ｅＭＢＢサービス及びＣＢＧベース送信に対するＨＡＲＱ−ＡＣＫ情報ビットを、ＣＣインデックス順、スロットインデックス順に２番目のサブコードブックの１番目のサブサブコードブックへ配置し、ｅＭＢＢサービス及びＴＢベース送信に対するＨＡＲＱ−ＡＣＫ情報ビットを、ＣＣインデックス順、スロットインデックス順に２番目のサブコードブックの２番目のサブサブコードブックへ配置する。
【０１６３】
図１１Ｂは、態様２−２−１の連結方法２及びサブサブコードブック連結方法２及びＣＢＧ設定方法２に係るＨＡＲＱ−ＡＣＫコードブック生成の一例を示す図である。主に図９Ｂとの違いを説明する。
【０１６４】
ＵＥは、ＵＲＬＬＣサービス及びＣＢＧベース送信に対するＨＡＲＱ−ＡＣＫ情報ビットを、ＣＣインデックス順、スロットインデックス順に１番目のサブコードブックの１番目のサブサブコードブックへ配置し、ＵＲＬＬＣサービス及びＴＢベース送信に対するＨＡＲＱ−ＡＣＫ情報ビットを、ＣＣインデックス順、スロットインデックス順に１番目のサブコードブックの２番目のサブサブコードブックへ配置する。更にＵＥは、ｅＭＢＢサービス及びＣＢＧベース送信に対するＨＡＲＱ−ＡＣＫ情報ビットを、ＣＣインデックス順、スロットインデックス順に２番目のサブコードブックの１番目のサブサブコードブックへ配置し、ｅＭＢＢサービス及びＴＢベース送信に対するＨＡＲＱ−ＡＣＫ情報ビットを、ＣＣインデックス順、スロットインデックス順に２番目のサブコードブックの２番目のサブサブコードブックへ配置する。
【０１６５】
《態様２−２−２》
２つのサブコードブックは、ＴＢベース送信に対するサブコードブックと、ＣＢＧベース送信に対するサブコードブックと、であってもよい。言い換えれば、ＵＥは、ＨＡＲＱ−ＡＣＫ情報ビットがＣＢＧベース送信に対応するか否かに基づいて、ＨＡＲＱ−ＡＣＫコードブックにおける前記ＨＡＲＱ−ＡＣＫ情報ビットの位置を決定してもよい。また、ＵＥは、ＴＢベース送信に対するＨＡＲＱ−ＡＣＫ情報ビットを連続してＨＡＲＱ−ＡＣＫコードブックに配置してもよく、ＣＢＧベース送信に対するＨＡＲＱ−ＡＣＫ情報ビットを連続してＨＡＲＱ−ＡＣＫコードブックに配置してもよい。
【０１６６】
ＵＥは、ＴＢベース送信に対するサブコードブックのために、２つのＨＡＲＱ−ＡＣＫサブサブコードブック（サブサブコードブック）を生成してもよい。
【０１６７】
２つのサブサブコードブックは、第１サービスに対するサブサブコードブックと、第２サービスに対するサブサブコードブックと、であってもよい。
【０１６８】
ＵＥは、２つのサブサブコードブックを連結することによって１つのサブコードブックを生成してもよい。ＵＥは、次のサブサブコードブック連結方法１、２の１つに従って、２つのサブサブコードブックを連結してもよい。
【０１６９】
［サブサブコードブック連結方法１］
ＵＥは、第１サービスに対するサブサブコードブックを先に配置する。
【０１７０】
［サブサブコードブック連結方法２］
ＵＥは、第２サービスに対するサブサブコードブックを先に配置する。
【０１７１】
ＵＥは、次のＣＢＧ設定方法１、２の１つに従って、第１サービス及び第２サービスの少なくとも１つに対し、ＣＢＧベース送信を設定されてもよい。
【０１７２】
［ＣＢＧ設定方法１］
ＵＥは、上位レイヤシグナリングによってＣＢＧベース送信を設定されたサービングセルにおいて、第１サービスのＰＤＳＣＨがＣＢＧベース送信であると期待してもよい。これによって、ＵＥは、第１サービスにおいてＣＢＧベース送信に対するＨＡＲＱ−ＡＣＫを生成してもよい。
【０１７３】
ＵＥは、上位レイヤシグナリングによってＣＢＧベース送信を設定されたサービングセルにおいて、第２サービスのＰＤＳＣＨがＴＢベース送信であると期待してもよい。これによって、ＵＥは、第２サービスにおいてＴＢベース送信に対するＨＡＲＱ−ＡＣＫを生成してもよい。
【０１７４】
ＵＥは、ＣＢＧベース送信に対するサブコードブックとして、１つのサブサブコードブックを生成してもよい。このサブサブコードブックは、第１サービスに対するサブサブコードブックであってもよい。
【０１７５】
［ＣＢＧ設定方法２］
ＵＥは、上位レイヤシグナリングによってＣＢＧベース送信を設定されたサービングセルにおいて、第１サービスであるか第２サービスであるかに関わらず、ＰＤＳＣＨがＣＢＧベース送信であると期待してもよい。これによって、ＵＥは、第１サービス及び第２サービスの両方においてＣＢＧベース送信に対するＨＡＲＱ−ＡＣＫを生成してもよい。
【０１７６】
ＵＥは、ＣＢＧベース送信に対するサブコードブックのために、２つのサブサブコードブックを生成してもよい。
【０１７７】
２つのサブサブコードブックは、第１サービスに対するサブサブコードブックと、第２サービスに対するサブサブコードブックと、であってもよい。
【０１７８】
ＵＥは、２つのサブサブコードブックを連結することによって１つのサブコードブックを生成してもよい。ＵＥは、次のサブサブコードブック連結方法１、２の１つに従って、２つのサブサブコードブックを連結してもよい。
【０１７９】
［サブサブコードブック連結方法１］
ＵＥは、第１サービスに対するサブサブコードブックを先に配置する。
【０１８０】
［サブサブコードブック連結方法２］
ＵＥは、第２サービスに対するサブサブコードブックを先に配置する。
【０１８１】
ＵＥは、２つのサブコードブックを連結することによって１つのＨＡＲＱ−ＡＣＫコードブックを生成してもよい。ＵＥは、次の連結方法１、２の１つに従って、２つのサブコードブックを連結してもよい。
【０１８２】
［連結方法１］
ＵＥは、ＴＢベース送信に対するサブコードブックを先に配置する。
【０１８３】
［連結方法２］
ＵＥは、ＣＢＧベース送信に対するサブコードブックを先に配置する。
【０１８４】
ＵＥは、ＴＢベース送信に対するサブコードブックと、ＣＢＧベース送信に対するサブコードブックと、を別々に符号化してもよい。
【０１８５】
ＵＥは、第１サービス及びＴＢベース送信に対するＤＡＩと、第１サービス及びＣＢＧベース送信に対するＤＡＩと、第２サービス及びＴＢベース送信に対するＤＡＩと、第２サービス及びＣＢＧベース送信に対するＤＡＩと、を別々にカウントしてもよい。
【０１８６】
図１２Ａは、態様２−２−２の連結方法１及びサブサブコードブック連結方法１及びＣＢＧ設定方法１に係るＨＡＲＱ−ＡＣＫコードブック生成の一例を示す図である。主に図８Ａとの違いを説明する。
【０１８７】
ＵＥは、ＴＢベース送信及びｅＭＢＢサービスに対するＨＡＲＱ−ＡＣＫ情報ビットを、ＣＣインデックス順、スロットインデックス順に１番目のサブコードブックの１番目のサブサブコードブックへ配置し、ＴＢベース送信及びＵＲＬＬＣサービスに対するＨＡＲＱ−ＡＣＫ情報ビットを、ＣＣインデックス順、スロットインデックス順に１番目のサブコードブックの２番目のサブサブコードブックへ配置する。更にＵＥは、ＣＢＧベース送信及びｅＭＢＢサービスに対するＨＡＲＱ−ＡＣＫ情報ビットを、ＣＣインデックス順、スロットインデックス順に２番目のサブコードブック（サブサブコードブック）へ配置する。
【０１８８】
図１２Ｂは、態様２−２−２の連結方法１及びサブサブコードブック連結方法１及びＣＢＧ設定方法２に係るＨＡＲＱ−ＡＣＫコードブック生成の一例を示す図である。主に図８Ｂとの違いを説明する。
【０１８９】
ＵＥは、ＴＢベース送信及びｅＭＢＢサービスに対するＨＡＲＱ−ＡＣＫ情報ビットを、ＣＣインデックス順、スロットインデックス順に１番目のサブコードブックの１番目のサブサブコードブックへ配置し、ＴＢベース送信及びＵＲＬＬＣサービスに対するＨＡＲＱ−ＡＣＫ情報ビットを、ＣＣインデックス順、スロットインデックス順に１番目のサブコードブックの２番目のサブサブコードブックへ配置する。更にＵＥは、ＣＢＧベース送信及びｅＭＢＢサービスに対するＨＡＲＱ−ＡＣＫ情報ビットを、ＣＣインデックス順、スロットインデックス順に２番目のサブコードブックの１番目のサブサブコードブックへ配置し、ＣＢＧベース送信及びＵＲＬＬＣサービスに対するＨＡＲＱ−ＡＣＫ情報ビットを、ＣＣインデックス順、スロットインデックス順に２番目のサブコードブックの２番目のサブサブコードブックへ配置する。
【０１９０】
図１３Ａは、態様２−２−２の連結方法１及びサブサブコードブック連結方法２及びＣＢＧ設定方法１に係るＨＡＲＱ−ＡＣＫコードブック生成の一例を示す図である。主に図９Ａとの違いを説明する。
【０１９１】
ＵＥは、ＴＢベース送信及びＵＲＬＬＣサービスに対するＨＡＲＱ−ＡＣＫ情報ビットを、ＣＣインデックス順、スロットインデックス順に１番目のサブコードブックの１番目のサブサブコードブックへ配置し、ＴＢベース送信及びｅＭＢＢサービスに対するＨＡＲＱ−ＡＣＫ情報ビットを、ＣＣインデックス順、スロットインデックス順に１番目のサブコードブックの２番目のサブサブコードブックへ配置する。更にＵＥは、ＣＢＧベース送信及びｅＭＢＢサービスに対するＨＡＲＱ−ＡＣＫ情報ビットを、ＣＣインデックス順、スロットインデックス順に２番目のサブコードブック（サブサブコードブック）へ配置する。
【０１９２】
図１３Ｂは、態様２−２−２の連結方法１及びサブサブコードブック連結方法２及びＣＢＧ設定方法２に係るＨＡＲＱ−ＡＣＫコードブック生成の一例を示す図である。主に図９Ｂとの違いを説明する。
【０１９３】
ＵＥは、ＴＢベース送信及びＵＲＬＬＣサービスに対するＨＡＲＱ−ＡＣＫ情報ビットを、ＣＣインデックス順、スロットインデックス順に１番目のサブコードブックの１番目のサブサブコードブックへ配置し、ＴＢベース送信及びｅＭＢＢサービスに対するＨＡＲＱ−ＡＣＫ情報ビットを、ＣＣインデックス順、スロットインデックス順に１番目のサブコードブックの２番目のサブサブコードブックへ配置する。更にＵＥは、ＣＢＧベース送信及びＵＲＬＬＣサービスに対するＨＡＲＱ−ＡＣＫ情報ビットを、ＣＣインデックス順、スロットインデックス順に２番目のサブコードブックの１番目のサブサブコードブックへ配置し、ＣＢＧベース送信及びｅＭＢＢサービスに対するＨＡＲＱ−ＡＣＫ情報ビットを、ＣＣインデックス順、スロットインデックス順に２番目のサブコードブックの１番目のサブサブコードブックへ配置する。
【０１９４】
図１４Ａは、態様２−２−２の連結方法２及びサブサブコードブック連結方法１及びＣＢＧ設定方法１に係るＨＡＲＱ−ＡＣＫコードブック生成の一例を示す図である。主に図１０Ａとの違いを説明する。
【０１９５】
ＵＥは、ＣＢＧベース送信及びｅＭＢＢサービスに対するＨＡＲＱ−ＡＣＫ情報ビットを、ＣＣインデックス順、スロットインデックス順に１番目のサブコードブック（サブサブコードブック）へ配置する。更にＵＥは、ＴＢベース送信及びｅＭＢＢサービスに対するＨＡＲＱ−ＡＣＫ情報ビットを、ＣＣインデックス順、スロットインデックス順に２番目のサブコードブックの１番目のサブサブコードブックへ配置し、ＴＢベース送信及びＵＲＬＬＣサービスに対するＨＡＲＱ−ＡＣＫ情報ビットを、ＣＣインデックス順、スロットインデックス順に２番目のサブコードブックの２番目のサブサブコードブックへ配置する。
【０１９６】
図１４Ｂは、態様２−２−２の連結方法２及びサブサブコードブック連結方法１及びＣＢＧ設定方法２に係るＨＡＲＱ−ＡＣＫコードブック生成の一例を示す図である。主に図１０Ｂとの違いを説明する。
【０１９７】
ＵＥは、ＣＢＧベース送信及びｅＭＢＢサービスに対するＨＡＲＱ−ＡＣＫ情報ビットを、ＣＣインデックス順、スロットインデックス順に１番目のサブコードブックの１番目のサブサブコードブックへ配置し、ＣＢＧベース送信及びＵＲＬＬＣサービスに対するＨＡＲＱ−ＡＣＫ情報ビットを、ＣＣインデックス順、スロットインデックス順に１番目のサブコードブックの２番目のサブサブコードブックへ配置する。更にＵＥは、ＴＢベース送信及びｅＭＢＢサービスに対するＨＡＲＱ−ＡＣＫ情報ビットを、ＣＣインデックス順、スロットインデックス順に２番目のサブコードブックの１番目のサブサブコードブックへ配置し、ＴＢベース送信及びＵＲＬＬＣサービスに対するＨＡＲＱ−ＡＣＫ情報ビットを、ＣＣインデックス順、スロットインデックス順に２番目のサブコードブックの２番目のサブサブコードブックへ配置する。
【０１９８】
図１５Ａは、態様２−２−２の連結方法２及びサブサブコードブック連結方法２及びＣＢＧ設定方法１に係るＨＡＲＱ−ＡＣＫコードブック生成の一例を示す図である。主に図１１Ａとの違いを説明する。
【０１９９】
ＵＥは、ＣＢＧベース送信及びｅＭＢＢサービスに対するＨＡＲＱ−ＡＣＫ情報ビットを、ＣＣインデックス順、スロットインデックス順に１番目のサブコードブック（サブサブコードブック）へ配置する。更にＵＥは、ＴＢベース送信及びＵＲＬＬＣサービスに対するＨＡＲＱ−ＡＣＫ情報ビットを、ＣＣインデックス順、スロットインデックス順に２番目のサブコードブックの１番目のサブサブコードブックへ配置し、ＴＢベース送信及びｅＭＢＢサービスに対するＨＡＲＱ−ＡＣＫ情報ビットを、ＣＣインデックス順、スロットインデックス順に１番目の２番目のサブコードブックの２番目のサブサブコードブックへ配置する。
【０２００】
図１５Ｂは、態様２−２−２の連結方法２及びサブサブコードブック連結方法２及びＣＢＧ設定方法２に係るＨＡＲＱ−ＡＣＫコードブック生成の一例を示す図である。主に図１１Ｂとの違いを説明する。
【０２０１】
ＵＥは、ＣＢＧベース送信及びＵＲＬＬＣサービスに対するＨＡＲＱ−ＡＣＫ情報ビットを、ＣＣインデックス順、スロットインデックス順に１番目のサブコードブックの１番目のサブサブコードブックへ配置し、ＣＢＧベース送信及びｅＭＢＢサービスに対するＨＡＲＱ−ＡＣＫ情報ビットを、ＣＣインデックス順、スロットインデックス順に１番目のサブコードブックの２番目のサブサブコードブックへ配置する。更にＵＥは、ＴＢベース送信及びＵＲＬＬＣサービスに対するＨＡＲＱ−ＡＣＫ情報ビットを、ＣＣインデックス順、スロットインデックス順に２番目のサブコードブックの１番目のサブサブコードブックへ配置し、ＴＢベース送信及びｅＭＢＢサービスに対するＨＡＲＱ−ＡＣＫ情報ビットを、ＣＣインデックス順、スロットインデックス順に２番目のサブコードブックの２番目のサブサブコードブックへ配置する。
【０２０２】
この態様２−２によれば、異なるサービスが混在し、且つＴＢベース送信及びＣＢＧベース送信が混在する場合であっても、それらのＰＤＳＣＨに対するＨＡＲＱ−ＡＣＫを１つのＨＡＲＱ−ＡＣＫコードブックとして適切に送信できる。
【０２０３】
（態様３）
所定条件が満たされる場合、ＵＥは、態様１又は態様２に示したようなＨＡＲＱ−ＡＣＫコードブック生成ルールを適用してもよい。
【０２０４】
ＵＥは、次の動作Ａ〜Ｃの少なくとも１つに従ってもよい。
【０２０５】
（動作Ａ）
第１サービス用のＤＣＩと、第２サービス用のＤＣＩと、がＨＡＲＱ−ＡＣＫフィードバック用に同じスロットを指示する場合、ＵＥは、ＨＡＲＱ−ＡＣＫコードブック生成ルールを適用する。
【０２０６】
（動作Ｂ）
第１サービス及び第２サービスの間で別々に、ＨＡＲＱ−ＡＣＫフィードバック用のＰＵＣＣＨリソースが決定された状態において、第１サービス用のＨＡＲＱ−ＡＣＫを含むＰＵＣＣＨリソースが第２サービス用のＨＡＲＱ−ＡＣＫを含むＰＵＣＣＨリソースと重複する場合、又は第１サービス用のＨＡＲＱ−ＡＣＫを含むＰＵＣＣＨリソースと第２サービス用のＨＡＲＱ−ＡＣＫを含むＰＵＣＣＨリソースとが同じＰＵＳＣＨと重複する場合、ＵＥは、ＨＡＲＱ−ＡＣＫコードブック生成ルールを適用する。
【０２０７】
（動作Ｃ）
ＵＥは、態様１、２に示したような複数のＨＡＲＱ−ＡＣＫコードブック生成ルールのうち、どのルールを適用するかを、上位レイヤパラメータ又はＤＣＩフィールドによって指示される。
【０２０８】
この態様３によれば、ＵＥは、状況に応じて適切なＨＡＲＱ−ＡＣＫコードブックを生成できる。
【０２０９】
（態様４）
ＵＥは、態様１のＨＡＲＱ−ＡＣＫコードブックにおいて、特定サービスに対するＨＡＲＱ−ＡＣＫ情報ビットを複製してＨＡＲＱ−ＡＣＫコードブックに挿入してもよい。特定サービスは、ＵＲＬＬＣサービスであってもよい。これによって、ＵＲＬＬＣサービスの信頼性を、他のサービスの信頼性より高くすることができる。
【０２１０】
ＵＥは、態様２のＨＡＲＱ−ＡＣＫコードブックにおいて、第１サービス及び第２サービスの間で異なる符号化率になるように、ＨＡＲＱ−ＡＣＫ情報ビットを符号化し、且つ／又は上りリンクチャネルで送信される符号化ビットの量を制御してもよい。ＵＲＬＬＣサービスに対するＨＡＲＱ−ＡＣＫの符号化率は、ｅＭＢＢサービスに対するＨＡＲＱ−ＡＣＫの符号化率より低くてもよい。これによって、ＵＲＬＬＣサービスの信頼性を、ｅＭＢＢサービスの信頼性より高くすることができる。
【０２１１】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０２１２】
図１６は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０２１３】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【０２１４】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０２１５】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０２１６】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０２１７】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０２１８】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０２１９】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０２２０】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０２２１】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０２２２】
ユーザ端末２０は、ＬＴＥ、ＬＴＥ−Ａ、５Ｇなどの通信方式の少なくとも１つに対応した端末であってもよい。
【０２２３】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０２２４】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０２２５】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０２２６】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０２２７】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０２２８】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０２２９】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０２３０】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０２３１】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０２３２】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０２３３】
なお、本開示において下りリンク、上りリンクなどは「リンク」を付けずに表現されてもよい。また、各種チャネルの先頭に「物理（Physical）」を付けずに表現されてもよい。
【０２３４】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０２３５】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０２３６】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０２３７】
（基地局）
図１７は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０２３８】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０２３９】
制御部１１０は、基地局１０全体の制御を実施する。制御部１１０は、本開示に係る技術分野での共通認識に基づいて説明されるコントローラ、制御回路などから構成することができる。
【０２４０】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０２４１】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０２４２】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０２４３】
送受信アンテナ１３０は、本開示に係る技術分野での共通認識に基づいて説明されるアンテナ、例えばアレイアンテナなどから構成することができる。
【０２４４】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０２４５】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０２４６】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０２４７】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０２４８】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０２４９】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０２５０】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２５１】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０２５２】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０２５３】
なお、本開示における基地局１０の送信部及び受信部は、送受信部１２０、送受信アンテナ１３０及び伝送路インターフェース１４０の少なくとも１つによって構成されてもよい。
【０２５４】
なお、送受信部１２０は、ＣＢＧベース送信を行うか否かの設定を、上位レイヤシグナリングによって送信してもよい。送受信部１２０は、通信要件に対応するパラメータ（ＭＣＳテーブル、ＲＮＴＩなど）を用いて下り信号を送信してもよい。
【０２５５】
（ユーザ端末）
図１８は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０２５６】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０２５７】
制御部２１０は、ユーザ端末２０全体の制御を実施する。制御部２１０は、本開示に係る技術分野での共通認識に基づいて説明されるコントローラ、制御回路などから構成することができる。
【０２５８】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０２５９】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０２６０】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０２６１】
送受信アンテナ２３０は、本開示に係る技術分野での共通認識に基づいて説明されるアンテナ、例えばアレイアンテナなどから構成することができる。
【０２６２】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０２６３】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０２６４】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０２６５】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０２６６】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０２６７】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０２６８】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０２６９】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２７０】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２７１】
なお、本開示におけるユーザ端末２０の送信部及び受信部は、送受信部２２０、送受信アンテナ２３０及び伝送路インターフェース２４０の少なくとも１つによって構成されてもよい。
【０２７２】
また、制御部２１０は、異なる通信要件（例えば、ｅＭＢＢサービス、ＵＲＬＬＣサービス）を有する複数の下りデータ（例えば、ＰＤＳＣＨ）に基づくＨＡＲＱ−ＡＣＫコードブック（少なくとも１つのＨＡＲＱ−ＡＣＫコードブック）を生成してもよい。送受信部２２０は、１つの上りチャネルリソース（例えば、ＰＵＣＣＨ、ＰＵＳＣＨ）において前記ＨＡＲＱ−ＡＣＫコードブックを送信してもよい。
【０２７３】
また、制御部２１０は、ＨＡＲＱ−ＡＣＫ情報ビットに対応する通信要件（サービス、ＭＣＳテーブル、ＲＮＴＩなど）に基づいて、前記ＨＡＲＱ−ＡＣＫコードブックにおける前記ＨＡＲＱ−ＡＣＫ情報ビットの位置を決定してもよい（態様１、２）。
【０２７４】
また、制御部２１０は、前記ＨＡＲＱ−ＡＣＫ情報ビットがコードブックグループベース送信（例えば、ＣＢＧＴＩによって指示されたＣＢＧ）に対応するか否かに基づいて、前記ＨＡＲＱ−ＡＣＫコードブックにおける前記ＨＡＲＱ−ＡＣＫ情報ビットの位置を決定してもよい（態様１、２のケース２）。
【０２７５】
また、制御部２１０は、同じ通信要件に対応するＨＡＲＱ−ＡＣＫ情報ビットを連続して、前記ＨＡＲＱ−ＡＣＫコードブックに配置してもよい（態様２−２−１）。
【０２７６】
また、制御部２１０は、コードブックグループベース送信（例えば、ＣＢＧＴＩによって指示されたＣＢＧ）に対応するか否かが同じであるＨＡＲＱ−ＡＣＫ情報ビットを連続して、前記ＨＡＲＱ−ＡＣＫコードブックに配置してもよい（態様２−２−２）。
【０２７７】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２７８】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２７９】
例えば、本開示の一実施形態における基地局、ユーザ端末などは、本開示の無線通信方法の処理を行うコンピュータとして機能してもよい。図１９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２８０】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２８１】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２８２】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２８３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０２８４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２８５】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２８６】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２８７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２８８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２８９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２９０】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２９１】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２９２】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２９３】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２９４】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２９５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２９６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２９７】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２９８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２９９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０３００】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０３０１】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０３０２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０３０３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０３０４】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０３０５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０３０６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０３０７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０３０８】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０３０９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０３１０】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０３１１】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０３１２】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０３１３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０３１４】
また、情報、信号などは、上位レイヤから下位レイヤ及び下位レイヤから上位レイヤの少なくとも一方へ出力され得る。情報、信号などは、複数のネットワークノードを介して入出力されてもよい。
【０３１５】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０３１６】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０３１７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０３１８】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０３１９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０３２０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３２１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３２２】
本開示において使用する「システム」及び「ネットワーク」という用語は、互換的に使用され得る。「ネットワーク」は、ネットワークに含まれる装置（例えば、基地局）のことを意味してもよい。
【０３２３】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０３２４】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０３２５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３２６】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０３２７】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０３２８】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０３２９】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０３３０】
同様に、本開示におけるユーザ端末は、基地局で読み替えてもよい。この場合、上述のユーザ端末２０が有する機能を基地局１０が有する構成としてもよい。
【０３３１】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０３３２】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３３３】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０３３４】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３３５】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０３３６】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０３３７】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０３３８】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３３９】
また、「判断（決定）」は、「想定する（assuming）」、「期待する（expecting）」、「みなす（considering）」などで読み替えられてもよい。
【０３４０】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０３４１】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３４２】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３４３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３４４】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３４５】
本開示において、例えば、英語でのa,  an及びtheのように、翻訳によって冠詞が追加された場合、本開示は、これらの冠詞の後に続く名詞が複数形であることを含んでもよい。
【０３４６】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020066026.tif 000003
【図２】
2020066026.tif 000004
【図３】
2020066026.tif 000005
【図４】
2020066026.tif 000006
【図５】
2020066026.tif 000007
【図６】
2020066026.tif 000008
【図７】
2020066026.tif 000009
【図８】
2020066026.tif 000010
【図９】
2020066026.tif 000011
【図１０】
2020066026.tif 000012
【図１１】
2020066026.tif 000013
【図１２】
2020066026.tif 000014
【図１３】
2020066026.tif 000015
【図１４】
2020066026.tif 000016
【図１５】
2020066026.tif 000017
【図１６】
2020066026.tif 000018
【図１７】
2020066026.tif 000019
【図１８】
2020066026.tif 000020
【図１９】
2020066026.tif 000021
【国際調査報告】
2020066026.tif 000022
2020066026.tif 000023
2020066026.tif 000024
2020066026.tif 000025